(57)【特許請求の範囲】
【請求項１】
着用者の前後方向に対応する縦方向に長い形状の吸収性コアを含む吸収体並びに該吸収体を挟持する表面シート及び裏面シートを備え、使用する前においては包装材により個装されている吸収性物品であって、
前記吸収性物品は、着用者の液排泄部に対向配置される排泄部対向部と、該排泄部対向部よりも前方の前方部と、該排泄部対向部よりも後方の後方部とに区分され、
前記吸収性物品は、縦方向に延びる中心線上に位置して前記排泄部対向部に亘って延びる排泄部可撓軸と、縦方向に延びる中心線上に位置して該排泄部可撓軸の前方部側に延びる前方可撓軸と、縦方向に延びる中心線上に位置して該排泄部可撓軸の後方部側に延びる後方可撓軸とを有し、
前記吸収性物品は、前記包装材から取り出されて非応力下におかれた際に、前記排泄部可撓軸にて前記表面シート側に凸状に屈曲し、前記前方可撓軸及び前記後方可撓軸にて前記裏面シート側に凸状に屈曲している吸収性物品。
【請求項２】
前記吸収性物品は、前記前方部と前記排泄部対向部との境界に前記吸収性物品の縦方向に直交する横方向全域に亘る第１折り曲げ線と、前記後方部と前記排泄部対向部との境界に前記吸収性物品の縦方向に直交する横方向全域に亘る第２折り曲げ線とを有し、
前記排泄部可撓軸が、前記第１折り曲げ線と前記第２折り曲げ線との間に亘って延び、
前記前方可撓軸が、前記第１折り曲げ線よりも前方部側に延び、
前記後方可撓軸が、前記第２折り曲げ線よりも後方部側に延びている請求項１に記載の吸収性物品。
【請求項３】
前記吸収性コアは、前記排泄部対向部における前記吸収性物品の縦方向に直交する横方向の中央部に位置する中高領域と、該中高領域を取り囲む、環状の領域であり、前記前方部から前記後方部に亘って配されている周辺領域と、該周辺領域の厚みよりも厚みが薄く、且つ該周辺領域の坪量よりも坪量が低い溝部とを有し、
前記溝部は、肌側において、前記中心線上に配された縦中心溝部を有している請求項１又は２に記載の吸収性物品。
【請求項４】
前記中高領域は、前記周辺領域の厚みよりも厚みが厚く、且つ該周辺領域の坪量よりも坪量が高く形成されており、
前記吸収性物品は、前記前方部と前記排泄部対向部との境界に位置する第１折り曲げ線と、前記後方部と前記排泄部対向部との境界に位置する第２折り曲げ線とを有し、
前記溝部は、前記第１折り曲げ線から前記前方部側に延びる一対の前方溝部と、前記第２折り曲げ線から前記後方部側に延びる一対の後方溝部とを有し、
前記一対の前方溝部は、互いの間隔が、前記前方部側に向かって短くなっており、
前記一対の後方溝部は、互いの間隔が、前記後方部側に向かって短くなっている請求項３に記載の吸収性物品。
【請求項５】
前記吸収性物品を平面視して、前記排泄部対向部における前記表面シートの面積が、該排泄部対向部における前記裏面シートの面積よりも大きい請求項１〜４の何れか１項に記載の吸収性物品。
【請求項６】
縦方向に長い形状の吸収性コアを含む吸収体並びに該吸収体を挟持する表面シート及び裏面シートを備える吸収性物品が、包装材上に前記裏面シート側を対向させて載置され、該包装材とともに折り畳まれている吸収性物品の包装構造体であって、
前記吸収性物品は、着用者の液排泄部に対向配置される排泄部対向部と、該排泄部対向部よりも前方の前方部と、該排泄部対向部よりも後方の後方部とに区分され、
前記吸収性物品は、縦方向に延びる中心線上に位置して前記排泄部対向部に亘って延びる排泄部可撓軸と、縦方向に延びる中心線上に位置して該排泄部可撓軸の前方部側に延びる前方可撓軸と、縦方向に延びる中心線上に位置して該排泄部可撓軸の後方部側に延びる後方可撓軸とを有し、
前記吸収性物品は、前記包装材から取り出されて非応力下におかれた際に、前記排泄部可撓軸にて前記表面シート側に凸状に屈曲し、前記前方可撓軸及び前記後方可撓軸にて前記裏面シート側に凸状に屈曲しており、
前記前方部と前記排泄部対向部との境界に位置する第１折り曲げ線及び前記後方部と前記排泄部対向部との境界に位置する第２折り曲げ線にて、前記包装材とともに前記表面シート側に且つ縦方向に折り畳まれた前記吸収性物品が、縦方向に延びる中心線にて、前記裏面シート側に且つ横方向に前記包装材とともに折り畳まれている吸収性物品の包装構造体。
【請求項７】
縦方向に長い形状の吸収性コアを含む吸収体並びに該吸収体を挟持する表面シート及び裏面シートを備える吸収性物品が、包装材上に前記裏面シート側を対向させて載置され、該包装材とともに折り畳まれている吸収性物品の包装構造体の製造方法であって、
前記吸収性物品は、着用者の液排泄部に対向配置される排泄部対向部と、該排泄部対向部よりも前方の前方部と、該排泄部対向部よりも後方の後方部とに区分され、
前記吸収性物品は、縦方向に延びる中心線上に位置して前記排泄部対向部に亘って延びる排泄部可撓軸と、縦方向に延びる中心線上に位置して該排泄部可撓軸の前方部側に延びる前方可撓軸と、縦方向に延びる中心線上に位置して該排泄部可撓軸の後方部側に延びる後方可撓軸とを有し、
前記吸収性物品は、前記包装材から取り出されて非応力下におかれた際に、前記排泄部可撓軸にて前記表面シート側に凸状に屈曲し、前記前方可撓軸及び前記後方可撓軸にて前記裏面シート側に凸状に屈曲しており、
前記吸収性物品を、前記前方部と前記排泄部対向部との境界に位置する第１折り曲げ線及び前記後方部と前記排泄部対向部との境界に位置する第２折り曲げ線にて、前記包装材とともに前記表面シート側に且つ縦方向に折り畳む第１工程と、その後、折り畳まれた前記吸収性物品を、前記吸収性物品の縦方向に延びる中心線にて、前記裏面シート側に且つ横方向に前記包装材とともに折り畳む第２工程とを有する吸収性物品の包装構造体の製造方法。
【発明の詳細な説明】
【技術分野】
【０００１】
本発明は、生理用ナプキン等の吸収性物品に関する。また、本発明は、前記吸収性物品の包装構造体に関する。また、本発明は、前記吸収性物品の包装構造体の製造方法に関する。
【背景技術】
【０００２】
従来、就寝時に使用する夜用の生理用ナプキンのように、着用者の前後方向に沿う縦方向の長さが長い吸収性物品においては、着用者の肌との隙間があると、就寝姿勢において、液が肌の表面を伝って流れてしまい、液漏れにつながる場合があった。
【０００３】
そのため、本出願人は、先に、吸収体を備える吸収性物品において、該吸収性物品の長手方向の中央長軸部及び幅方向の中央短軸部には、それぞれ第１可撓軸及び第２可撓軸が設けられ、上記第１可撓軸は、上記第２可撓軸よりも後方部においては上記吸収性物品を該第１可撓軸で上記表面材側に凸状に折曲し易いように形成され且つ上記第２可撓軸よりも前方部においては上記吸収性物品を該第１可撓軸で上記表面材側に凹状に折曲し易いように形成されている吸収性物品を提案した（例えば特許文献１）。
【０００４】
また、これらとは別の技術として、例えば、特許文献２には、表面側シートの幅方向の中央部分が身体側に向けて頂点となるように折れ曲がり長凸状領域が形成されて、全体として舟形形状となる陰唇間パッドが記載されている。
【先行技術文献】
【特許文献】
【０００５】
【特許文献１】特開平０４−３４１２６１号公報
【特許文献２】ＷＯ２００２／０９４１４５号公報
【発明の概要】
【発明が解決しようとする課題】
【０００６】
特許文献１に記載の吸収性物品では、上記第１可撓軸における、幅方向の中央短軸部に設けられた上記第２可撓軸よりも後方部において、上記吸収性物品を上記表面材側に凸状に折曲し易いので、就寝姿勢における両脚からの幅方向内側に向けた圧縮力によって、上記第２可撓軸よりも後方部が隆起し易く、就寝姿勢において、着用者の肌との隙間が形成され難く、液漏れを防止できる。しかし、着用者の液排泄部に対向配置される排泄部対向部よりも後方の後方部においては、液保持空間を形成して液漏れを防止したいが、特許文献１には、そのような観点について何ら記載されておらず、更なる改良の余地があった。
【０００７】
また、特許文献２に記載の吸収性物品は、陰唇間パッドであり、生理用ナプキンに比べ非常に小さいものであり、単純に大きさを大きくしただけでは、就寝姿勢における両脚からの幅方向内側に向けた圧縮力によって吸収体が折れ曲がり易く、液漏れを防止することができない。また、着用者の液排泄部に対向配置される排泄部対向部よりも前方の前方部及び後方の後方部において、液保持空間を形成して液漏れを防止する観点について何ら記載されていない。
【０００８】
したがって本発明の課題は、前述した従来技術が有する欠点を解消し得る吸収性物品を提供することにある。
【課題を解決するための手段】
【０００９】
本発明は、着用者の前後方向に対応する縦方向に長い形状の吸収性コアを含む吸収体並びに該吸収体を挟持する表面シート及び裏面シートを備え、使用する前においては包装材により個装されている吸収性物品であって、前記吸収性物品は、着用者の液排泄部に対向配置される排泄部対向部と、該排泄部対向部よりも前方の前方部と、該排泄部対向部よりも後方の後方部とに区分され、前記吸収性物品は、縦方向に延びる中心線上に位置して前記排泄部対向部に亘って延びる排泄部可撓軸と、縦方向に延びる中心線上に位置して該排泄部可撓軸の前方部側に延びる前方可撓軸と、縦方向に延びる中心線上に位置して該排泄部可撓軸の後方部側に延びる後方可撓軸とを有し、前記吸収性物品は、前記包装材から取り出されて非応力下におかれた際に、前記排泄部可撓軸にて前記表面シート側に凸状に屈曲し、前記前方可撓軸及び前記後方可撓軸にて前記裏面シート側に凸状に屈曲している吸収性物品を提供するものである。
【００１０】
また、本発明は、縦方向に長い形状の吸収性コアを含む吸収体並びに該吸収体を挟持する表面シート及び裏面シートを備える吸収性物品が、包装材上に前記裏面シート側を対向させて載置され、該包装材とともに折り畳まれている吸収性物品の包装構造体であって、前記吸収性物品は、着用者の液排泄部に対向配置される排泄部対向部と、該排泄部対向部よりも前方の前方部と、該排泄部対向部よりも後方の後方部とに区分され、前記前方部と前記排泄部対向部との境界に位置する第１折り曲げ線及び前記後方部と前記排泄部対向部との境界に位置する第２折り曲げ線にて、前記包装材とともに前記表面シート側に且つ縦方向に折り畳まれた前記吸収性物品が、縦方向に延びる中心線にて、前記裏面シート側に且つ横方向に前記包装材とともに折り畳まれている吸収性物品の包装構造体を提供するものである。
【００１１】
また、本発明は、縦方向に長い形状の吸収性コアを含む吸収体並びに該吸収体を挟持する表面シート及び裏面シートを備える吸収性物品が、包装材上に前記裏面シート側を対向させて載置され、該包装材とともに折り畳まれている吸収性物品の包装構造体の製造方法であって、前記吸収性物品は、着用者の液排泄部に対向配置される排泄部対向部と、該排泄部対向部よりも前方の前方部と、該排泄部対向部よりも後方の後方部とに区分され、前記吸収性物品を、前記前方部と前記排泄部対向部との境界に位置する第１折り曲げ線及び前記後方部と前記排泄部対向部との境界に位置する第２折り曲げ線にて、前記包装材とともに前記表面シート側に且つ縦方向に折り畳む第１工程と、その後、折り畳まれた前記吸収性物品を、前記吸収性物品の縦方向に延びる中心線にて、前記裏面シート側に且つ横方向に前記包装材とともに折り畳む第２工程とを有する吸収性物品の包装構造体の製造方法を提供するものである。
【発明の効果】
【００１２】
本発明によれば、就寝姿勢における両脚からの幅方向内側に向けた圧縮力によって、着用者の液排泄部に対向配置される排泄部対向部が隆起し易く、身体に対するフィット性が維持でき、該排泄部対向部よりも前方の前方部及び後方の後方部において、フィット性が向上し、液漏れが発生し難い。
【図面の簡単な説明】
【００１３】
【図１】図１は、本発明の吸収性物品の好ましい一実施形態である生理用ナプキンに関し、包装材から取り出されて非応力下におかれた際の状態を示す斜視図である。
【図２】図２は、図１に示す生理用ナプキンの肌対向面側（表面シート側）を示す平面図である。
【図３】図３は、図２のＩＩＩ−ＩＩＩ線断面を模式的に示す断面図である。
【図４】図４は、図２のＩＶ−ＩＶ線断面を模式的に示す断面図である。
【図５】図５は、図１に示す生理用ナプキンの備える吸収性コアにおける肌対向面側の平面図である。
【図６】図６（ａ）ないし図６（ｂ）は、図１に示す生理用ナプキンの備える吸収性コアの製造工程を説明する説明図である。
【図７】図７は、本発明の吸収性物品の好ましい一実施形態である生理用ナプキンの包装構造体の斜視図である。
【図８】図８は、図７に示す生理用ナプキンの包装構造体を展開した状態における生理用ナプキンの肌対向面側（表面シート側）から視た平面図である。
【図９】図９は、図８のＩＸ−ＩＸ線断面を模式的に示す断面図である。
【図１０】図１０（ａ）ないし図１０（ｃ）は、図８に示す生理用ナプキンの包装構造体の製造工程を説明する説明図である。
【発明を実施するための形態】
【００１４】
以下、本発明の吸収性物品を、その好ましい一実施形態である生理用ナプキン１（以下、単にナプキン１ともいう）に基づき図面を参照しながら説明する。また、本発明の吸収性物品の包装構造体を、その好ましい一実施形態である前記ナプキン１の包装構造体１０に基づき図面を参照しながら説明する。
先ず、ナプキン１について説明する。ナプキン１は、縦方向Ｘに延びる中心線ＣＬに対して左右対称形となっている。従って、以下の説明では、左右対称な部分については、主に、一方についてのみ説明する。
ナプキン１は、図１〜図４に示すように、着用者の前後方向に対応する縦方向Ｘに長い形状の吸収性コア４１を含む吸収体４並びに吸収体４を挟持する表面シート２及び裏面シート３を備えている。
【００１５】
本明細書において、縦方向Ｘは、吸収性物品（ナプキン１）の長手方向に一致し、横方向Ｙは、吸収性物品（ナプキン１）の幅方向（長手方向に直交する方向）に一致している。ナプキン１は、縦方向Ｘに延びる中心線ＣＬに対して左右対称に形成されている。縦方向Ｘとは、中心線ＣＬに平行な方向でもある。また、本明細書において、肌対向面は、吸収性物品（ナプキン１）又はその構成部材における、吸収性物品（ナプキン１）の着用時に着用者の肌側に向けられる面であり、非肌対向面は、吸収性物品（ナプキン１）又はその構成部材における、吸収性物品（ナプキン１）の着用時に肌側とは反対側（着衣側）に向けられる面である。
【００１６】
ナプキン１は、着用時に着用者の液排泄部（膣口等）に対向配置される排泄部対向部Ｂと、該排泄部対向部Ｂよりも着用者の腹側（前側）寄りに配される前方部Ａと、該排泄部対向部Ｂよりも着用者の背側（後側）寄りに配される後方部Ｃとに区分されている。即ち、ナプキン１は、縦方向Ｘに、前方部Ａ、排泄部対向部Ｂ及び後方部Ｃの順番で区分されている。
【００１７】
尚、本発明の吸収性物品において、排泄部対向部Ｂとは、本実施形態のナプキン１のように、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域を意味する。同様に、排泄部対向部Ｂとは、吸収性物品が４つ折りの個装形態に折り畳まれた際に生じる、該吸収性物品を横方向Ｙに横断する３本の折曲線（図示せず）について、該吸収性物品の縦方向Ｘの前端から数えて第１折曲線と第２折曲線とに囲まれた領域を意味する。
【００１８】
本実施形態のナプキン１は、図１〜図４に示すように、肌対向面を形成する液透過性の表面シート２、非肌対向面を形成する裏面シート３、及びこれら両シート２，３間に介在された吸収体４を具備している。
【００１９】
ナプキン１では、表面シート２は、図２〜図４に示すように、吸収体４の肌対向面の全域を被覆し、吸収体４の縦方向Ｘの両端縁から縦方向Ｘ外方に延出すると共に、吸収体４の縦方向Ｘに沿う両側縁から横方向Ｙの外方に延出している。一方、裏面シート３は、吸収体４の非肌対向面の全域を被覆し、吸収体４の縦方向Ｘの両端縁から縦方向Ｘ外方に延出すると共に、吸収体４の縦方向Ｘに沿う両側縁から横方向Ｙの外方に延出している。表面シート２と裏面シート３とは、吸収体４の全周縁からの延出部において、接着剤、ヒートシール、超音波シール等の公知の接合手段によって互いに接合されている。尚、表面シート２の肌対向面には、縦方向Ｘに沿う左右両側部に一対のサイドシート或いは一対以上の防漏カフを配置することができる。
【００２０】
ナプキン１では、吸収体４は、図３〜図４に示すように、吸水性ポリマーを有する吸収性コア４１と、該吸収性コア４１を包むコアラップシート４２とから構成されている。吸収性コア４１は、パルプ繊維等の繊維材料からなる繊維集合体に吸水性ポリマーを保持させたものからなる。吸収性コア４１は、上下両面を、ティッシュペーパーや透水性の不織布からなるコアラップシート４２によって被覆されている。コアラップシート４２は、吸収性コア４１の形成材料の漏れ出しを防止したり、吸収性コア４１の保形性を高めたりする目的で使用される。吸収性コア４１の肌対向面側を被覆するコアラップシート４２と表面シート２との間、及び吸収性コア４１の非肌対向面側を被覆するコアラップシート４２と裏面シート３との間は、ドット、スパイラル、ストライプ等のパターン塗工された接着剤により互いに接合されていることが好ましい。
【００２１】
ナプキン１は、図２に示すように、縦方向Ｘに延びる中心線ＣＬ上に位置して排泄部対向部Ｂに亘って延びる排泄部可撓軸５ｂと、縦方向Ｘに延びる中心線ＣＬ上に位置して排泄部可撓軸５ｂの前方部Ａ側に延びる前方可撓軸５ａと、縦方向Ｘに延びる中心線ＣＬ上に位置して排泄部可撓軸５ｂの後方部Ｃ側に延びる後方可撓軸５ｃとを有している。ナプキン１では、排泄部可撓軸５ｂは後述する溝部４５の縦中心溝部４５１によって形成され、前方可撓軸５ａは後述する溝部４５の縦中心溝部４５１によって形成され、後方可撓軸５ｃは後述する溝部４５の縦中心溝部４５１によって形成される。前方可撓軸５ａ、排泄部可撓軸５ｂ及び後方可撓軸５ｃは、中心線ＣＬに位置して中心線ＣＬに沿って形成されている。前方可撓軸５ａは、排泄部可撓軸５ｂから前方部Ａ側に延びていれば、前方部Ａの一部に形成されていてもよいが、ナプキン１では、前方部Ａの全域に亘って延びている。同様に、後方可撓軸５ｃは、排泄部可撓軸５ｂから後方部Ｃ側に延びていれば、後方部Ｃの一部に形成されていてもよいが、ナプキン１では、後方部Ｃの全域に亘って延びている。
なお、本実施形態では、前方可撓軸５ａは、排泄部可撓軸５ｂから連続して前方部Ａ側に延びており、後方可撓軸５ｃは排泄部可撓軸５ｂから連続して後方部Ｃ側に延びている。
【００２２】
ナプキン１は、図２に示すように、前方部Ａと排泄部対向部Ｂとの境界に縦方向Ｘに直交する横方向Ｙ全域に亘る第１折り曲げ線Ｌ１と、後方部Ｃと排泄部対向部Ｂとの境界に縦方向Ｘに直交する横方向Ｙ全域に亘る第２折り曲げ線Ｌ２とを有している。ナプキン１では、第１折り曲げ線Ｌ１及び第２折り曲げ線Ｌ２は、それぞれ、ナプキン１の横方向Ｙの全域に亘って、ナプキン１の横方向Ｙに平行に延びている。好適に、ナプキン１では、排泄部可撓軸５ｂが、縦方向Ｘに延びる中心線ＣＬ上に位置して、第１折り曲げ線Ｌ１と第２折り曲げ線Ｌ２との間に亘って延びている。そして、前方可撓軸５ａが、第１折り曲げ線Ｌ１よりも前方部Ａ側に延び、ナプキン１では、縦方向Ｘに延びる中心線ＣＬ上に位置して、前方部Ａの全域に亘って延びている。同様に、後方可撓軸５ｃが、第２折り曲げ線Ｌ２よりも後方部Ｃ側に延び、ナプキン１では、縦方向Ｘに延びる中心線ＣＬ上に位置して、後方部Ｃの全域に亘って延びている。
【００２３】
ナプキン１では、吸収性コア４１は、図２〜図５に示すように、排泄部対向部Ｂにおける縦方向に直交する横方向の中央部に位置する中高領域４３と、中高領域４３を取り囲む、環状の領域であり、前方部Ａから後方部Ｃに亘って配されている周辺領域４４と、該周辺領域４４の厚みよりも厚みが薄く、且つ該周辺領域４４の坪量よりも坪量が低い溝部４５とを有している。
ナプキン１では、吸収性コア４１は、ナプキン１の縦方向Ｘと同方向に長い形状を有する。したがって、吸収性コア４１の縦方向は、ナプキン１の縦方向Ｘと同方向であり、吸収性コア４１の横方向は、ナプキン１の横方向Ｙと同方向である。
【００２４】
ナプキン１では、中高領域４３は、図３及び図５に示すように、吸収性コア４１における該中高領域４３の周辺領域４４の厚みよりも厚みが厚く、且つ周辺領域４４の坪量よりも坪量が高く形成されている。ナプキン１では、図５に示すように吸収性コア４１を平面視して、中高領域４３は、横方向Ｙの中央部に配され、排泄部対向部Ｂの全域に亘って帯状に配されている。
【００２５】
また、ナプキン１では、周辺領域４４は、中高領域４３を取り囲む、環状の領域であり、前方部Ａから後方部Ｃに亘って配されている。中高領域４３の厚み及び坪量と比較する吸収性コア４１の周辺領域４４の厚み及び坪量は、吸収性コア４１の周辺領域４４における後述する溝部４５が存在しない部分における厚み及び坪量を意味する。
【００２６】
ナプキン１では、中高領域４３の厚みは、ナプキン１Ａの肌対向面に、肌に向かって突出する隆起部１１（図１参照）を形成して排泄部対向部Ｂにおける液の吸収性等を向上させる観点から、吸収性コア４１の周辺領域４４の厚みの、好ましくは１２０％以上、より好ましくは１５０％以上であり、そして、好ましくは１０００％以下、より好ましくは５００％以下であり、具体的には、好ましくは１２０％以上１０００％以下、より好ましくは１５０％以上５００％以下である。また、中高領域４３の厚みと吸収性コア４１の周辺領域４４の厚みとの厚みの差（前者−後者）は、好ましくは１．０ｍｍ以上、より好ましくは２．０ｍｍ以上であり、そして、好ましくは１０．０ｍｍ以下、より好ましくは５．０ｍｍ以下であり、具体的には、好ましくは１．０ｍｍ以上１０．０ｍｍ以下、より好ましくは２．０ｍｍ以上５．０ｍｍ以下である。中高領域４３の厚みが厚すぎると、装着時の装着感が低下する。尚、吸収性コア４１の各部における厚みは、非荷重下における吸収性物品の切断端面の写真から計測する。
【００２７】
ナプキン１では、中高領域４３の坪量は、ナプキン１の肌対向面に、肌に向かって突出する隆起部１１（図１参照）を形成して排泄部対向部Ｂにおける液の吸収性等を向上させる観点から、吸収性コア４１の周辺領域４４の坪量（後述する、前方周辺領域４４Ａの坪量、後方周辺領域４４Ｃの坪量及び側方周辺領域４４Ｓの坪量の平均坪量）の、好ましくは１２０％以上、より好ましくは１３０％以上であり、そして、好ましくは５００％以下、より好ましくは４００％以下であり、具体的には、好ましくは１２０％以上５００％以下、より好ましくは１３０％以上４００％以下である。また、中高領域４３の坪量と吸収性コア４１の周辺領域４４の坪量との坪量の差（前者−後者）は、好ましくは５０ｇ／ｍ2以上、より好ましくは１００ｇ／ｍ2以上であり、そして、好ましくは８００ｇ／ｍ2以下、より好ましくは６００ｇ／ｍ2以下であり、具体的には、好ましくは５０ｇ／ｍ2以上８００ｇ／ｍ2以下、より好ましくは１００ｇ／ｍ2以上６００ｇ／ｍ2以下である。尚、中高領域４３の坪量は、後述する縦中心溝部４５１が存在しない部分を切り出したサンプルの質量を、そのサンプルの肌対向面側の面の面積で除して求める。周辺領域４４の坪量の坪量は、後述する溝部４５が存在しない部分を切り出したサンプルの質量を、そのサンプルの肌対向面側の面の面積で除して求める。
【００２８】
ナプキン１では、吸収性コア４１は、図２〜図５に示すように、周辺領域４４の厚みよりも厚みが薄く、且つ周辺領域４４の坪量よりも坪量が低い溝部４５を肌側面に有している。溝部４５の厚みは、溝部４５により形成される前方可撓軸５ａ、排泄部可撓軸５ｂ及び後方可撓軸５ｃによって、ナプキン１の肌対向面を、肌に向かって屈曲させ（図１参照）、排泄部対向部Ｂにおける液の吸収性等を向上させる観点から、吸収性コア４１の周辺領域４４の厚みの、好ましくは１０％以上、より好ましくは２０％以上であり、そして、好ましくは９０％以下、より好ましくは８０％以下であり、具体的には、好ましくは１０％以上９０％以下、より好ましくは２０％以上８０％以下である。また、吸収性コア４１の周辺領域４４の厚みと溝部４５の厚みとの厚みの差（前者−後者）は、好ましくは１．０ｍｍ以上、より好ましくは１．５ｍｍ以上であり、そして、好ましくは８．０ｍｍ以下、より好ましくは７．０ｍｍ以下であり、具体的には、好ましくは１．０ｍｍ以上８．０ｍｍ以下、より好ましくは１．５ｍｍ以上７．０ｍｍ以下である。尚、吸収性コア４１の溝部４５における厚みは、非荷重下における吸収性物品の切断端面の写真から計測する。
【００２９】
ナプキン１では、溝部４５の坪量は、溝部４５により形成される前方可撓軸５ａ、排泄部可撓軸５ｂ及び後方可撓軸５ｃによって、ナプキン１の肌対向面を、肌に向かって屈曲させ（図１参照）、排泄部対向部Ｂにおける液の吸収性等を向上させる観点から、吸収性コア４１の周辺領域４４の坪量の、好ましくは５％以上、より好ましくは１０％以上であり、そして、好ましくは９０％以下、より好ましくは８０％以下であり、具体的には、好ましくは５％以上９０％以下、より好ましくは１０％以上８０％以下である。また、吸収性コア４１の周辺領域４４の坪量と溝部４５の坪量との坪量の差（前者−後者）は、好ましくは１０ｇ／ｍ2以上、より好ましくは３０ｇ／ｍ2以上であり、そして、好ましくは８００ｇ／ｍ2以下、より好ましくは６００ｇ／ｍ2以下であり、具体的には、好ましくは１０ｇ／ｍ2以上８００ｇ／ｍ2以下、より好ましくは３０ｇ／ｍ2以上６００ｇ／ｍ2以下である。尚、溝部４５の坪量は、該溝部４５の部分を切り出したサンプルの質量を、そのサンプルの肌対向面側の面の面積で除して求める。
【００３０】
ナプキン１では、溝部４５は、図２〜図５に示すように、肌側において、縦方向Ｘに延びる中心線ＣＬ上に配された縦中心溝部４５１を有している。更に、ナプキン１では、溝部４５は、図２〜図５に示すように、第１折り曲げ線Ｌ１から前方部Ａ側に延びる一対の前方溝部４５２，４５２と、第２折り曲げ線Ｌ２から後方部Ｃ側に延びる一対の後方溝部４５３，４５３とを有している。このように、ナプキン１Ａでは、溝部４５は、縦中心溝部４５１、一対の前方溝部４５２，４５２及び一対の後方溝部４５３，４５３を有している。一対の前方溝部４５２，４５２及び一対の後方溝部４５３，４５３は、縦方向Ｘに延びる中心線ＣＬに対して左右対称形となっている。
【００３１】
縦中心溝部４５１は、図５に示すように、縦方向Ｘに延びる中心線ＣＬ上に配されていればよいが、ナプキン１では、縦方向Ｘに延びる中心線ＣＬ上に位置して、ナプキン１の縦方向Ｘの長さの全域に亘って配されている。ナプキン１の縦中心溝部４５１は、縦方向Ｘに平行に延びている。
【００３２】
一対の前方溝部４５２，４５２は、図５に示すように吸収性コア４１を平面視して、第１折り曲げ線Ｌ１から前方部Ａ側に延びており、互いの間隔が、前方部Ａ側に向かって短くなっており、ナプキン１では、互いの間隔が、前方部Ａ側に向かって漸次短くなっている。一方の前方溝部４５２と縦方向Ｘに延びる中心線ＣＬとのなす角α（図５参照）は、５°以上９０°以下であることが好ましく、１０°以上７０°以下であることが更に好ましい。
【００３３】
一対の後方溝部４５３，４５３は、図５に示すように吸収性コア４１を平面視して、第２折り曲げ線Ｌ２から後方部Ｃ側に延びており、互いの間隔が、後方部Ｃ側に向かって短くなっており、ナプキン１では、互いの間隔が、後方部Ｃ側に向かって漸次短くなっている。一方の後方溝部４５３と縦方向Ｘに延びる中心線ＣＬとのなす角β（図５参照）は、５°以上９０°以下であることが好ましく、１０°以上７０°以下であることが更に好ましい。
【００３４】
溝部４５の溝幅は、縦中心溝部４５１の溝幅、前方溝部４５２の溝幅及び後方溝部４５３の溝幅が均等に形成されていてもよく、縦中心溝部４５１の溝幅が、前方溝部４５２の溝幅及び後方溝部４５３の溝幅よりも広く形成されていてもよい。溝部４５により形成される前方可撓軸５ａ、排泄部可撓軸５ｂ及び後方可撓軸５ｃによって、ナプキン１の肌対向面を、肌に向かって屈曲させ（図１参照）易くする観点から、縦中心溝部４５１の溝幅が、前方溝部４５２の溝幅及び後方溝部４５３の溝幅よりも広く形成されていることが好ましい。縦中心溝部４５１の溝幅は、同様の観点から、前方溝部４５２の溝幅及び後方溝部４５３の溝幅の、好ましくは１００％超、より好ましくは１１０％以上であり、そして、好ましくは３００％以下、より好ましくは２００％以下であり、具体的には、好ましくは１００％超３００％以下、より好ましくは１１０％以上２００％以下である。好適に、縦中心溝部４５１の溝幅は、好ましくは０．５ｍｍ以上、より好ましくは１．０ｍｍ以上であり、そして、好ましくは１０ｍｍ以下、より好ましくは５．０ｍｍ以下であり、具体的には、好ましくは０．５ｍｍ以上１０ｍｍ以下、より好ましくは１．０ｍｍ以上５．０ｍｍ以下である。前方溝部４５２の溝幅及び後方溝部４５３の溝幅は、好ましくは０．５ｍｍ以上、より好ましくは１．０ｍｍ以上であり、そして、好ましくは１０ｍｍ以下、より好ましくは５．０ｍｍ以下であり、具体的には、好ましくは０．５ｍｍ以上１０ｍｍ以下、より好ましくは１．０ｍｍ以上５．０ｍｍ以下である。尚、溝部４５の溝幅は、溝部４５の延びる方向に直交する方向に切断し、切端面の写真から計測する。
【００３５】
ナプキン１では、中高領域４３、周辺領域４４及び溝部４５を有する吸収性コア４１は、その全体が一体成形されている。「一体成形されている」とは、別の工程で製造した部材どうしを接着剤や圧縮などの接合手段で結合したものとは異なり、同一の材料を用いて、一つの工程で一体的に形成されていることを意味する。
【００３６】
上述したナプキン１の吸収性コア４１は、図６（ａ）に示すように、外周面に集積用凹部５５を備え、一方向Ｒに回転する積繊ドラム５４と、該積繊ドラム５４の外周面に、コア材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００３７】
また、図６（ａ）に示すように、１個の集積用凹部５５の底面５６の一部には、中高領域４３を形成するための1つの凹部５６ｂが形成されている。また、凹部５６ｂの周辺領域の底面５６には、溝部４５を形成するための難通気性部材５７が配置されている。難通気性部材５７は、縦中心溝部４５１、一対の前方溝部４５２，４５２及び一対の後方溝部４５３，４５３に対応する位置に配され、集積用凹部５５の底面５６から突出するように固定されている。難通気性部材５７は、非通気性部材であっても良く、例えば金属やプラスチック、セラミック等からなる。
【００３８】
積繊ドラムを備えた公知の積繊装置と同様に、集積用凹部５５の底面から吸引しつつ、ダクト内に、吸水性ポリマーとパルプ繊維とを混合したコア材料を供給することによって、図６（ｂ）に示すように、コア材料が集積用凹部５５内に所定形状に堆積する。その堆積物４０を、集積用凹部５５から離型することで、吸収性コア４１が得られる。吸収性コア４１は、コアラップシート４２で被覆する前又は被覆した後に、一対のロール間に通すこと等により加圧し適度に圧縮させる。これにより、凹部５６ｂに堆積した部分が、坪量及び密度が相対的に大きい中高領域４３となる。同様に、凹部５６ｂの周辺領域に堆積したコア材料からなる部分が、坪量及び密度が相対的に小さい周辺領域４４となり、凹部５６ｂの周辺領域の難通気性部材５７上に堆積したコア材料からなる部分が、周辺領域４４よりも坪量及び密度が相対的に小さい溝部４５となる。
【００３９】
上述した実施形態のナプキン１の各構成部材の形成材料について説明する。
表面シート２及び裏面シート３としては、生理用ナプキン等の吸収性物品に従来使用されている各種のもの等を特に制限なく用いることができる。例えば、表面シート２としては、親水化処理が施された各種不織布や開孔フィルム等の液透過性のシートを用いることができる。また、裏面シート３としては、熱可塑性樹脂のフィルムや、該フィルムと不織布とのラミネート等の液透過性ないし撥水性のシートを用いることができる。裏面シート３は水蒸気透過性を有していてもよい。また、コアラップシート４２としては、湿式抄造法により製造した薄葉紙（ティッシュペーパー）や液透過性の不織布等を用いることができる。
【００４０】
ナプキン１は、図７〜図９に示すように、使用する前においては包装材７により個装されている。好適に、ナプキン１は、図７に示すように、使用する前においては、包装材７上に裏面シート３側を対向させて載置され、該包装材７とともに折り畳まれて包装構造体１０となっている。ナプキン１は、図８及び図９に示すように、裏面シート３の非肌対向面に粘着部８が配されており、粘着部８を介して包装材７が仮固定されている。包装材７は、図８に示すように、ナプキン１の外形よりも大きいサイズを有しており、本実施形態では、ナプキン１の外形よりも大きい矩形形状を有している。矩形形状の包装材７は、その長手方向をナプキン１の長手方向Ｘに一致させて粘着部８を介して仮固定されている。したがって、矩形形状の包装材７の縦方向は、ナプキン１の縦方向Ｘと同方向であり、矩形形状の包装材７の横方向は、ナプキン１の横方向Ｙと同方向である。
【００４１】
包装材７としては、例えば、ポリプロピレン、低密度ポリエチレン、ポリビニルアルコール等の樹脂フィルム、不織布、紙、あるいはこれらの２種以上が複合した複合材料等を用いることができる。包装材７における粘着部８との粘着面は、公知の剥離処理（シリコーン系樹脂等の塗布等）が施されており、この剥離処理により、包装材７は粘着部８に剥離可能に粘着している。
粘着部８を形成する粘着剤としては、生理用ナプキン等の吸収性物品に従来使用されている各種のもの等を特に制限なく用いることができる。
【００４２】
図７に示す本実施形態のナプキン１の包装構造体１０は、図８及び図１０（ａ）に示す如き展開状態のナプキン１を包装材７と共に折り畳んでなるものである。ナプキン１の包装構造体１０の製造方法は、ナプキン１を、前方部Ａと排泄部対向部Ｂとの境界に位置する第１折り曲げ線Ｌ１及び後方部Ｃと排泄部対向部Ｂとの境界に位置する第２折り曲げ線Ｌ２にて、包装材７とともに表面シート２側に且つ縦方向Ｘに折り畳む第１工程と、その後、折り畳まれたナプキン１を、縦方向Ｘに延びる中心線ＣＬにて、裏面シート３側に且つ横方向Ｙに包装材７とともに折り畳む第２工程とを有している。
【００４３】
好適には、第１工程は、図１０（ａ）に示すような、展開状態のナプキン１の粘着部８に展開状態の包装材７が仮固定されている状態において、図１０（ｂ）に示すように、先ず、包装材７の縦方向Ｘの両端縁７ａ，７ｂの内、最初に、ナプキン１の前方部Ａ側に位置する一端縁７ａを、第１折曲線Ｌ１に沿ってナプキン１と共にナプキン1の内面側に折り曲げる工程を備えている。そして、第１工程は、図１０（ｂ）に示すような包装材７の一端縁７ａが第１折曲線Ｌ１に沿って内面側に折り曲げられたナプキン１の状態において、ナプキン１の後方部Ｂ側に位置する他端縁７ｂを、第２折曲線Ｌ２に沿ってナプキン１と共にナプキン1の内面側に折り曲げる工程を備えている。このように第１工程を経ることによって、ナプキン１は、図１０（ｃ）に示すように、第１折り曲げ線Ｌ１及び第２折り曲げ線Ｌ２にて、包装材７とともに表面シート２側に且つ縦方向Ｘに折り畳まれた状態となる。尚、包装材７の両端縁７ａ，７ｂを折り曲げる順番は特に限定されず、他端縁７ｂ、一端縁７ａの順に折り曲げても良い。さらに、包装材７の横方向Ｙ両端部を熱融着等で固定する（図示せず）。
【００４４】
次いで、図１０（ｃ）に示すような、第１折り曲げ線Ｌ１及び第２折り曲げ線Ｌ２にて、包装材７とともに表面シート２側に且つ縦方向Ｘに折り畳まれたナプキン１を、縦方向Ｘに延びる中心線ＣＬにて、裏面シート３側に且つ横方向Ｙに包装材７とともに折り畳む（第２工程）。このように第２工程を経ることによって、折り畳まれた状態のナプキン１が縦方向Ｘに延びる中心線ＣＬにて、外面側である裏面シート３側に且つ横方向Ｘに包装材７とともに折り畳まれて図１０（ｄ）に示すようなナプキン１の包装構造体１０となる。このように、ナプキン１の包装構造体１０の製造方法は、図７に示すようなナプキン１の包装構造体１０を効率的に製造できる。
【００４５】
上述した第１実施形態のナプキン１の作用効果について説明する。
ナプキン１は、包装材７から取り出されて非応力下におかれた際に、図１に示すように、排泄部可撓軸５ｂにて表面シート２側に凸状に屈曲し、前方可撓軸５ａ及び後方可撓軸５ｃにて裏面シート３側に凸状に屈曲している。ここで、「非応力下におかれた際」とは、吸収性物品の一例であるナプキン１を包装材７から取り出して外力が加えられていない状態を意味する。即ち、包装構造体１０の状態におけるナプキン１が、包装材７から取り出されて非応力下におかれた際に、排泄部可撓軸５ｂにて表面シート２側に凸状に屈曲し、前方可撓軸５ａ及び後方可撓軸５ｃにて裏面シート３側に凸状に、言い換えれば、前方可撓軸５ａ及び後方可撓軸５ｃにて表面シート２側に凹状に屈曲している。その為、ナプキン１の着用中に、就寝姿勢における両脚からの幅方向内側に向けた圧縮力によって、着用者の液排泄部に対向配置される排泄部対向部Ｂが隆起し易く、排泄部に対するフィット性が維持でき、液漏れが発生し難い。また、前方可撓軸５ａ及び後方可撓軸５ｃにて裏面シート３側に凸状に、言い換えれば、前方可撓軸５ａ及び後方可撓軸５ｃにて表面シート２側に凹状に屈曲するので、排泄部対向部Ｂよりも前方の前方部Ａ及び後方の後方部Ｃにおいて、着用者とナプキン１とのフィット性が向上し、液漏れが発生し難い。
【００４６】
また、ナプキン１は、図２に示すように、前方部Ａと排泄部対向部Ｂとの境界に位置する第１折り曲げ線Ｌ１と、後方部Ｃと排泄部対向部Ｂとの境界に位置する第２折り曲げ線Ｌ２とを有し、排泄部可撓軸５ｂが、縦方向Ｘに延びる中心線ＣＬ上に位置して、第１折り曲げ線Ｌ１と第２折り曲げ線Ｌ２との間に亘って延びている。その為、ナプキン１の着用中に、就寝姿勢における両脚からの幅方向内側に向けた圧縮力によって、着用者の液排泄部に対向配置される排泄部対向部Ｂが更に隆起し易くなっている。また、図２に示すように、前方可撓軸５ａが第１折り曲げ線Ｌ１から延び、後方可撓軸５ｃが第２折り曲げ線Ｌ２から延びている。その為、前方可撓軸５ａ及び後方可撓軸５ｃにて裏面シート３側に凸状に屈曲し易く、排泄部対向部Ｂよりも前方の前方部Ａ及び後方の後方部Ｃにおいて、着用者の身体形状にフィットし易い。特に、ナプキン１では、前方可撓軸５ａが縦方向Ｘに延びる中心線ＣＬ上に位置して前方部Ａの全域に亘って延び、後方可撓軸５ｃが縦方向Ｘに延びる中心線ＣＬ上に位置して後方部Ｃの全域に亘って延びている。その為、前方可撓軸５ａ及び後方可撓軸５ｃにて裏面シート３側に凸状に更に屈曲し易く、排泄部対向部Ｂよりも前方の前方部Ａ及び後方の後方部Ｃにおいて、身体形状により密着し易い。
【００４７】
また、ナプキン１の吸収性コア４１は、図２〜図５に示すように、周辺領域４４の厚みよりも厚みが薄く、且つ周辺領域４４の坪量よりも坪量が低い溝部４５を備え、溝部４５が縦方向Ｘに延びる中心線ＣＬ上に配された縦中心溝部４５１を有している。その為、包装構造体１０の状態におけるナプキン１が、包装材７から取り出されて非応力下におかれた際に、排泄部可撓軸５ｂにて表面シート２側に凸状に更に屈曲し易く、前方可撓軸５ａ及び後方可撓軸５ｃにて裏面シート３側に凸状に更に屈曲し易くなっている。
【００４８】
また、ナプキン１の吸収性コア４１は、図２〜図５に示すように、溝部４５が、前方部Ａ側に向かって互いの間隔が短くなっている一対の前方溝部４５２，４５２を前方部Ａに有し、後方部Ｃ側に向かって互いの間隔が短くなっている一対の後方溝部４５３，４５３を後方部Ｃに有している。その為、ナプキン１の着用中に、就寝姿勢における両脚からの幅方向内側に向けた圧縮力によって、前方可撓軸５ａ及び後方可撓軸５ｃにて裏面シート３側に凸状に屈曲し易く、排泄部対向部Ｂよりも前方の前方部Ａ及び後方の後方部Ｃにおいて、着用者の身体形状に沿う形となり易くフィット性が向上するとともに装着時の違和感が低減される。
【００４９】
また、ナプキン１の吸収性コア４１は、吸収性コア４１に、周辺領域４４よりも厚みが厚く且つ坪量が高い中高領域４３を有している。その為、図１に示すように、ナプキン１の着用中に、中高領域４３が肌に向かって隆起して、排泄部対向部Ｂにて肌に向かって突出する隆起部１１が形成され易くなっている。
【００５０】
以上、本発明をその好ましい実施形態に基づき説明したが、本発明の吸収性物品は本実施形態のナプキン１に何ら制限されるものではなく、適宜変更可能である。
【００５１】
例えば、ナプキン１は、図２に示すように、排泄部対向部Ｂに中高領域４３を有しているが、中高領域４３を有していなくてもよい。
【００５２】
また、ナプキン１は、図２に示すように、前方可撓軸５ａ、排泄部可撓軸５ｂ及び後方可撓軸５ｃが、周辺領域４４の厚みよりも厚みが薄く、且つ周辺領域４４の坪量よりも坪量が低い溝部４５によって形成されるが、溝部４５以外の手段によって形成されていてもよい。
【００５３】
また、ナプキン１は、図２に示すように平面視して、表面シート２と裏面シート３とは略同形同大であるが、ナプキン１を包装材７から取り出して非応力下においた際に、図１に示すように、排泄部可撓軸５ｂにて表面シート２側に凸状に屈曲し易く、前方可撓軸５ａ及び後方可撓軸５ｃにて裏面シート３側に凸状に屈曲し易い観点から、ナプキン１を平面視して、排泄部対向部Ｂにおける表面シート２の面積が、排泄部対向部Ｂにおける裏面シート３の面積よりも大きいことが好ましい。具体的には、例えば、裏面シート３の非肌対向面に配されている粘着部８を排泄部対向部Ｂにのみ配し、該粘着部８で裏面シート３を重ね合わせて固定して、排泄部対向部Ｂにおける裏面シート３の面積を、排泄部対向部Ｂにおける表面シート２の面積よりも小さくしてもよい。
【００５４】
また、ナプキン１では、設けられていないが、表面シート２の肌対向面に、表面シート２及び吸収体４が裏面シート３側に向かって一体的に凹陥してなる線状圧搾溝を一対設けてもよい。該線状圧搾溝は、中高領域４３の縦方向Ｘに沿う側部に対応する部分に設けられていることが好ましい。該線状圧搾溝は、熱を伴うか又は伴わない圧搾加工（いわゆるエンボス加工）、あるいは超音波エンボス等のエンボス加工により常法に従って形成することができる。
【００５５】
また、本発明の吸収性物品は、生理用ナプキンの他、パンティーライナー（おりものシート）、失禁パッド等であってもよい。
【符号の説明】
【００５６】
１  生理用ナプキン（吸収性物品）
１１  隆起部
２  表面シート
３  裏面シート
４  吸収体
４１  吸収性コア
４２  コアラップシート
４３  中高領域
４４  周辺領域
４５  溝部
４５１  縦中心溝部
４５２  前方溝部
４５３  後方溝部
５ａ  前方可撓軸
５ｂ  排泄部可撓軸
５ｃ  後方可撓軸
７  包装材
８  粘着部
１０  包装構造体
【図１】
0006591279.tif 000002
【図２】
0006591279.tif 000003
【図３】
0006591279.tif 000004
【図４】
0006591279.tif 000005
【図５】
0006591279.tif 000006
【図６】
0006591279.tif 000007
【図７】
0006591279.tif 000008
【図８】
0006591279.tif 000009
【図９】
0006591279.tif 000010
【図１０】
0006591279.tif 000011